(57)【要約】【課題】電磁波シールドルームの設置後及び運用中におけるシールド性能の定期的な測定をも可能とした電磁波シールド扉のシールド性能測定装置及び測定方法を提供する。【解決手段】電磁波シールドルームの出入り口５に設置されたシールド扉６の周囲に、当該シールド扉６の室内側と室外側にそれぞれ位置し、互いに対向して設置された複数組の送信アンテナＴＸ−１〜ＴＸ−ｎと受信アンテナＲＸ−１〜ＲＸ−ｎ、当該送信アンテナＴＸ−１〜ＴＸ−ｎと受信アンテナＲＸ−１〜ＲＸ−ｎにそれぞれ接続された送信部１と受信部３、前記送信アンテナＴＸ−１〜ＴＸ−ｎと送信部１との間、前記受信アンテナＲＸ−１〜ＲＸ−ｎと前記受信部３との間にそれぞれ接続された送信切替部２と受信切替部４、前記送信部１と受信部３の機能動作を監視制御する監視制御部をそれぞれ備えて構成する。【選択図】図１
2007183211.tif 000002
【特許請求の範囲】
【請求項１】
電磁波シールドルームの開口部に設置されたシールド扉の周囲に、当該シールド扉の室内側と室外側にそれぞれ位置し、互いに対向して設置された複数組の送信アンテナと受信アンテナ、当該送信アンテナと受信アンテナにそれぞれ接続された送信部と受信部、前記送信アンテナと送信部との間、前記受信アンテナと前記受信部との間にそれぞれ接続された送信切替部と受信切替部、前記送信部と受信部の機能動作を監視制御する制御部をそれぞれ備えて構成されてなることを特徴とする電磁波シールド扉のシールド性能測定装置。
【請求項２】
複数組の送信アンテナと受信アンテナは、それぞれシールド扉の上下方向および／または横方向に対向して設置されていることを特徴とする請求項１記載の電磁波シールド扉のシールド性能測定装置。
【請求項３】
複数組の送信アンテナと受信アンテナは、それぞれシールド扉の上下方向および／または横方向に対向し、かつ対向する方向が交差するように設置されていることを特徴とする請求項１記載の電磁波シールド扉のシールド性能測定装置。
【請求項４】
電磁波シールドルームの開口部に設置されたシールド扉のシールド性能を測定するシールド性能測定方法であって、前記シールド扉を開けた状態で当該シールド扉の周囲を伝播する送信電波を受信アンテナによって認識可能な最少の受信電力を給電するための送信電力と、前記シールド扉を閉めた状態で当該シールド扉の周囲を伝播する送信電波を前記受信アンテナによって認識可能な最少の受信電力を給電するための送信電力との差を前記シールド扉のシールド性能とし、当該シールド性能の減衰量（劣化）を前記シールド扉を閉めた状態で測定することを特徴とする電磁波シールド扉のシールド性能測定方法。
【発明の詳細な説明】
【技術分野】
【０００１】
本発明は、電磁波シールド扉のシールド性能測定装置および測定方法に関し、電磁波シールドルームの開口部に設置されたシールド扉のシールド性能を定期的に測定し、シールドガスケットの劣化状況をモニターすることができる。
【背景技術】
【０００２】
一般に、シールドルームの出入り口に設置されたシールド扉の外周と出入り口内周の双方接触部分には、シールド扉を閉めた際に当該シールド扉の周辺から電磁波が漏洩しないようにシールドガスケットが取り付けられている。
【０００３】
当該シールドガスケットは、扉の開閉に伴い摩擦が生じて劣化して切れることがあり、その場合、シールド扉のシールド性能は著しく低下する。一般的に、シールドルームのシールド性能を低下させる要因は、上記したシールドガスケットの劣化によることが知られている。
【０００４】
そのため、シールド扉のシールド性能を定期的に確認し、必要に応じて改修を施すことにより、シールドルーム全体のシールド性能を維持できると考えられるが、一般に人件費の面でコストが高い。
【０００５】
従来、電磁波シールドルームにおける電磁シールド性能を測定する方法としては、ＭＩＬ−ＳＴＤ２８５や関係省庁で制定している電磁波シールド室試験方法、さらには、電磁波シールドルームや電波暗室の建設に携わる建設会杜や材料・機器メーカーが中心となって研究した成果をまとめた測定手法などが知られている。
【０００６】
【特許文献１】特許第３６６４９６１号
【特許文献２】登録実用新案第００３０８５５０６号
【特許文献３】特公平０７−１０５６１２号公報
【特許文献４】ＰＡＭＳ遮蔽性能測定器の取説http://ｗｗｗ.shoshin.co.jp/emi-emc/pams.html
【発明の開示】
【発明が解決しようとする課題】
【０００７】
しかし、これらの測定方法は電磁波シールドルームを設置した後のシールド性能を一時的に測定するための方法であり、シールドルームの運用中に定期的に測定できるものではない。
【０００８】
なお、電磁波シールドルームを設置した後、シールドルームを使用しながら電磁シールド性能を定期的に測定する方法もあるが、使用中の扉の性能監視に特化した精度の高いシステムは未だ開発されていない。
【０００９】
本発明は、以上の課題を解決するためになされたものであり、特に電磁波シールドルームの設置後のみならず、運用中におけるシールド性能の定期的な測定をも可能にして電磁波シールドルームを継続して運用できるようにした電磁波シールド扉のシールド性能測定装置および測定方法を提供することを目的とする。
【課題を解決するための手段】
【００１０】
請求項１記載の電磁波シールド扉のシールド性能測定装置は、電磁波シールドルームの開口部に設置されたシールド扉の周囲に、当該シールド扉の室内側と室外側にそれぞれ位置し、互いに対向して設置された複数組の送信アンテナと受信アンテナ、当該送信アンテナと受信アンテナにそれぞれ接続された送信部と受信部、前記送信アンテナと送信部との間、前記受信アンテナと前記受信部との間にそれぞれ接続された送信切替部と受信切替部、前記送信部と受信部の機能動作を監視制御する監視制御部をそれぞれ備えて構成されてなることを特徴とするものである。
【００１１】
本発明は、電磁波を送信する送信アンテナをシールドルームの室内側に、前記送信電波を受信する受信アンテナをシールドルームの室外側にそれぞれ設置し、シールド扉を閉めた状態で特に当該シールド扉の周辺をシールドルームの室内側から室外側に漏洩する電磁波を測定することにより、シールドルームのシールド性能を評価するものである。この場合、送信電波には１ＧＨｚ帯の電波を使用することができる。
【００１２】
シールドルームにおいて、電磁波の漏洩は、シールドルームの開口部に取り付けられたシールド扉の周辺で最も大きいことから、送信アンテナと受信アンテナはシールド扉の周辺の開口部側に縦方向および／または横方向に対向させて複数組設置し、特に開口部を覆うように設置するのがよい。
【００１３】
請求項２記載の電磁波シールド扉のシールド性能測定装置は、請求項１記載の電磁波シールド扉のシールド性能測定装置において、複数組の送信アンテナと受信アンテナは、それぞれシールド扉の上下方向および／または横方向に対向して設置されていることを特徴とするものである。
【００１４】
本発明によれば、複数組の送信アンテナと受信アンテナから任意に選択した一組の送信アンテナと受信アンテナに順次切り替えて、電磁波の送・受信を行うことにより各部のシールド性能を精度良く測定することができる。
【００１５】
また、各アンテナの性能や電波伝播特性による影響を少なくすることもできるため、電磁波シールドルームの性能測定が安定し、シールド扉のシールド性能を精度良く測定を行うこともできる。
【００１６】
請求項３記載の電磁波シールド扉のシールド性能測定装置は、請求項１記載の電磁波シールド扉のシールド性能測定装置において、複数組の送信アンテナと受信アンテナは、それぞれシールド扉の上下方向および／または横方向に対向し、かつ対向する方向が交差するように設置されていることを特徴とするものであり、本発明によれば、請求項２記載の発明よりさらに、シールド扉のシールド性能を精度良く測定を行うことができる。
【００１７】
請求項４記載の電磁波シールド扉のシールド性能測定方法は、電磁波シールドルームの開口部に設置されたシールド扉のシールド性能を測定するシールド性能測定方法であって、前記シールド扉を開けた状態で当該シールド扉の周囲を伝播する送信電波を受信アンテナによって認識可能な最少の受信電力を給電するための送信電力と、前記シールド扉を閉めた状態で当該シールド扉の周囲を伝播する送信電波を前記受信アンテナによって認識可能な最少の受信電力を給電するための送信電力との差を前記シールド扉のシールド性能（遮蔽効果）とし、当該シールド性能の低減量(劣化)を前記シールド扉を閉めた状態で測定することを特徴とするものである。
【００１８】
電磁波シールド扉のシールド性能を測定する際、あらかじめシールド扉を開けた状態で送信アンテナと受信アンテナ間の電波伝播特性(空間における電波伝播損失)を測定するが、受信アンテナで送信電波を認識できる最少の受信電力の時の送信電力を基準値１とする。この基準値１の測定をシステムのレベル校正と呼ぶ(図３ ＣＡＬＩＢＲＡＴＩＯＮ部)。
【００１９】
次に、シールド扉を閉めた状態での電波伝播特性(この時の特性は遮蔽効果となる)を測定し、受信アンテナで送信電波を認識できる最少の受信電力(前記最少の受信電力の時と同等な受信電力)とになるように送信電力を高め、その時の送信電力を基準値２とする(図４参照)。
【００２０】
そして、これら基準値１と基準値２の差を求め、この差をシールド扉のシールド性能（遮蔽効果）とする。ただし、送信電力は受信部で安定した特性(最少の受信電力の電力値)が得られる最低の送信電力とする。
【００２１】
基準値１の測定は、本装置の設置時または定期点検、保守時のみ行うだけでよく、通常はシールド扉を閉めた状態で基準値２の測定を行い、その都度基準値１と基準値２の差を求め、その差をシールド扉のシールド性能とすることができる。
【００２２】
定期的に電磁波シールド扉のシールド性能値(基準値１と基準値２の差)を測定し、結果を記憶回路に保存することができる。また、遮蔽効果値があらかじめ設定された範囲を越えた場合、遮蔽性能が劣化している可能性があることを運用者に知らせる機能を備えている。  
【００２３】
また、定期的に測定した遮蔽効果値は記憶回路に保存すると同時に、過去の遮蔽効果値との相互差異を検出すると共に保存された遮蔽効果値の相互関係(遮蔽効果値間の差)から、あらかじめ設定された数値範囲を越えた場合に遮蔽性能が劣化している可能性があることを運用者へ知らせる機能も併せて備えている。
【００２４】
これにより、保存した測定データから電磁シールド性能の劣化を検出し、劣化の度合いがある判定基準を越えたら警報として運用者にシールドガスケットの交換時期を事前に知らせることが可能になり、シールドルームを継続して運用することができる。
【００２５】
なお、送信部と受信部の機能動作を監視制御する受信部３に含まれる監視制御部は前記送信部を介して通信ネットワークヘ接続することができ、複数のシールドガスケットモニタシステムと1つの監視制御部で構成されるシールドガスケットモニタシステムが構築できる。この場合監視制御部は集中監視制御装置の機能を備えている。
【発明の効果】
【００２６】
本発明は、特に電磁波シールドルームの設置後のみならず、シールドルームの運用中においもシールド扉のシールド性能を定期的に測定することができるため、シールドルームを継続的に運用することができる。
【００２７】
また、電磁波シールドルームの開口部（出入り口）に設置されたシールド扉の周囲に、複数組の送信アンテナと受信アンテナが扉の縦方向または横方向に対向して、あるいは縦方向と横方向に組み合わせて開口部を覆うように設置してあることで、当該複数組の送信アンテナと受信アンテナから任意に選択した一組の送信アンテナと受信アンテナに順次切り替えて、電磁波の送・受信を行うことにより各部のシールド性能を精度良く測定することができる。
【００２８】
また、送信アンテナを電磁波シールドルームの内側に、受信アンテナを電磁波シールドルームの外側に、さらに当該送信アンテナと受信アンテナを近距離で設置することにより、空間の電波伝播損失を最少にすることができるとともに、送・受信アンテナ間における電波伝播に関する悪影響を最少にすることで電磁波シールド性能の測定値のバラツキを少なくすることができる。
【００２９】
なお、送信アンテナと受信アンテナをシールド扉の周囲に、縦方向または横方向に近距離で設置することにより電波伝播範囲は狭まるが、これには送信アンテナと受信アンテナの設置数量を増やすことで補完できる。
【００３０】
また、送信アンテナから受信アンテナに電波を放射させてシールド扉のシールド性能を測定する際、受信アンテナで送信電波を認識できる最少の送信電力を利用することにより、測定時に周囲の電子機器等に影響を及ぼすことはない。
【００３１】
なお、実施例では、送信部と受信部を同一枠体内に実装することにより、送・受信部分基準信号源(周波数発振器)は共通となっているので、システムとして周波数変動に強く、取り扱いが容易である。
【００３２】
また、監視制御部(コントローラ)と送・受信部は脱着構造、機能になっているため、運用時の初期設定時以外、監視制御部(コントローラ)はシステムから切り離して置けるので関係者以外の操作ができず、安全性が保てる。
【００３３】
送・受信部から監視制御部(コントローラ)へ取り込んだ校正データ、遮蔽効果値などの性能測定データは監視制御部(コントローラ)で単独解析ができる。
【００３４】
なお、図１は、に複数アンテナ制御型のシールド性能測定装置の機能ブロック図を示すが、図内の送信部１と受信部３の機能動作を監視制御する受信部３に含まれる監視制御部は送信部１を介して通信ネットワークヘ接続することができ、複数のシールドガスケットモニタシステムと1つの監視制御部で構成されるシールドガスケットモニタシステムが構築できる。
【００３５】
また、この場合監視制御部は集中監視制御装置の機能を備え、よって、１(集中監視制御装置):Ｎ(複数アンテナ制御型シールドガスケットモニタシステム)が容易に構築できる。さらに、受信部３に含まれる監視制御部に代え監視制御部(コントローラ)７を通信ネットワークへ接続してもよい。
【発明を実施するための最良の形態】
【００３６】
図１は、電磁波シールド扉のシールド性能測定装置（以下「本装置」という）の機能ブロック図であり、図２は本装置を備えた電磁波シールドルームの出入り口を示したものである。
【００３７】
図において、本装置は、主に複数の送信アンテナＴＸ−１〜ＴＸ−ｎ、送信機を備えた送信部１、送信アンテナＴＸ−１〜ＴＸ−ｎと送信部１との間に接続された送信切替部２からなる送信系と、複数の受信アンテナＲＸ−１〜ＲＸ−ｎ、受信機を備えた受信部３、受信アンテナＲＸ−１〜ＲＸ−ｎと受信部３との間に接続された受信切替部４からなる受信系と、送信部１と受信部３の機能動作を監視制御する制御部(受信部３に含まれる)とから構成され、また送信系と受信系を合わせて送・受信部として構成されている。
【００３８】
一方、シールドルームの出入り口５にシールド扉６が開閉自在に取り付けられ、当該シールド扉６の外周と出入り口５の内周の双方接触部分に、シールド扉６を閉めた状態で当該シールド扉６の周辺から電磁波が漏洩しないようにシールドガスケット（図省略）が取り付けられている。
【００３９】
各部について詳述すると、複数の送信アンテナＴＸ−１〜ＴＸ−ｎと複数の受信アンテナＲＸ−１〜ＲＸ−ｎは、共に電磁波シールド性能を測定する部位数または測定範囲に応じてシールド扉６の周囲、すなわち出入り口５の枠体５ａに設置されている。
【００４０】
また、送信アンテナＴＸ−１〜ＴＸ−ｎはシールド扉６の内側に、受信アンテナＲＸ−１〜ＲＸ−ｎはシールド扉６の外側にそれぞれ位置して設置され、さらに送信アンテナＴＸ−１〜ＴＸ−ｎと受信アンテナＲＸ−１〜ＲＸ−ｎはシールド扉６の縦方向または横方向に対向させて、あるいは縦方向と横方向にそれぞれ対向させた組み合わせにより出入り口５を覆うように設置されている。
【００４１】
すなわち、複数の送信アンテナＴＸ−１〜ＴＸ−ｎと受信アンテナＲＸ−１〜ＲＸ−ｎは、対向して設置された送信アンテナと受信アンテナ間で送受信される高周波電波によって出入り口５を覆うように出入り口５の枠体５ａに設置されている。
【００４２】
なおこの場合、送信アンテナと受信アンテナは、ＴＸ−１とＲＸ−１、ＴＸ−２とＲＸ−２、……がそれぞれ対向するように特定の組み合わせ（向い合わせ）におい高周波電波を送・受信する場合の他、例えばＴＸ−１とＲＸ−２、ＴＸ−２とＲＸ−１、……がそれぞれ対向するように他の送・受信アンテナ同士がクロスした組み合わせにおいて高周波電波を送・受信する場合もある。
【００４３】
送信切替部２は送信部１から出力される高周波信号を複数の送信アンテナＴＸ−１〜ＴＸ−ｎのうち、特定の送信アンテナに給電するための送信切替器であり、当該送信切替部２の切り替え制御は送信部１から行われるようになっている。
【００４４】
また、受信切替部４は複数の受信アンテナＲＸ−１〜ＲＸ−ｎのうち、特定のアンテナで受信した高周波電波を受信部３に出力するための受信切替器であり、当該受信切替部４の切り替え制御は受信部３から行われるようになっている。
【００４５】
これによって、送・受信アンテナ間の設置間隔(距離)をできるだけ短縮することでシールドルーム内に物理的制限を与えないこと、自由空間での電波伝播損失を少なくすることで送信部１の送信電力を下げられること、さらに送・受信アンテナの設置環境に起因する電波伝播の悪影響を最小限にすること等の効果を得ている。
【００４６】
なお、送・受信アンテナを出入り口５のシールド扉６の周辺に設置すると、１組の送・受信アンテナでは出入り口５のシールド扉６の周辺全体を網羅できないが、実施例のように複数組の送・受信アンテナが設置されていることでシールド扉６の周辺全体を網羅することができる。
【００４７】
次に、送信部１、受信部３および監視制御部(受信部３に含まれる)の機能、動作を説明すると、送信部１は、高周波信号を発生するためのＰＬＬシンセサイズド信号発生部と、送信アンテナＴＸ−１〜ＴＸ−ｎに給電される高周波信号の電力を増減する増幅器および減衰器と帯域濾波器から構成されている。
【００４８】
受信部３は、受信アンテナＲＸ−１〜ＲＸ−ｎで受信した高周波電波を増幅する高周波増幅部と帯域濾波器と２段階切り替え型減衰器とからなる高感度受信部と、ＰＬＬシンセサイズド信号発生部、シングルコンバージョン方式による周波数変換部と、周波数変換後の中間周波信号をアナログデジタル変換するＡ／Ｄ変換器から構成されている。
【００４９】
また、送信部１と受信部３の機能動作を制御する監視制御部(受信部３に含まれる)があるが、当該監視制御部はディジタルシグナルプロセッサ(ＤＳＰ)とその周辺回路から構成されている。特に、ディジタルシグナルプロセッサ(ＤＳＰ)は、送信系で送信切替部（送信切替器）２の切り替え制御、高周波信号の送信周波数制御と高周波信号の電力増減制御、受信系では受信切替部（受信切替機）４の切り替え制御、２段階切り替え型減衰器の２段階切り替え制御、Ａ／Ｄ変換器から出力されるデジタル信号の数値演算処理、そして数値演算処理により周波数情報とその信号レベル情報に分け、記憶回路に保持する機能を備えている。
【００５０】
すなわち、送信系では所要の高周波信号の送出と送信アンテナＴＸ−１〜ＴＸ−ｎヘの給電を行う一方、受信系では受信アンテナＲＸ−１〜ＲＸ−ｎで取得した電波から所要の高周波信号を抽出し、周波数情報とその信号レベル情報に変換する機能動作をする。
【００５１】
さらに、監視制御部(受信部３に含まれる)は後記する監視制御部(コントローラ)７とＵＳＢケーブルで接続することで監視、制御の機能が従属的に実行できるようになっている。また、監視制御部(コントローラ)７から指示指定された制御内容によって、監視制御部(コントローラ)７が接続されなくても単独で動作するようにもなっている。
【００５２】
次に監視制御部(コントローラ)７の機能、動作を説明する。
【００５３】
送信部１と受信部３を総括的に監視制御するためにＰＣを用いた監視制御部(コントローラ)７を備えている。特に監視制御部(コントローラ)７は電磁波シールドルームを設置した後の性能測定、通常運用前の各種設定、システム校正などの初期設定や、運用中での定期確認・保守など、必要に応じて送信部１と受信部３へＵＳＢケーブルで接続すれば監視、制御機能が実行できる。さらに、送・受信部の記憶回路に保存されている測定データを監視制御部(コントローラ)７へ取り込む機能(ダウンロード)を備えている。
【００５４】
監視、制御機能として、先ず送・受信部に係わる機能として、送信系で送信切替部（送信切替器）２の切り替え制御、高周波信号の送信周波数制御と高周波信号の電力増減制御、受信系では受信切替部（受信切替器）４の切り替え制御、２段階切り替え型減衰器の２段階切り替え制御、Ａ／Ｄ変換器から出力されるデジタル信号の数値演算処理に関する事項、そして数値演算処理により得られた周波数情報とその信号レベル情報の取り込み機能を備えている。
【００５５】
このような構成において、シールド扉６の電磁波シールド性能を測定するには、まずシールド扉６を開いた状態での電波伝播特性(空間における電波伝播損失)を測定し、受信アンテナＲＸ−１〜ＲＸ−ｎと受信部（受信機）３で送信電波を認識できる最少の受信電力を給電するための送信部（送信機）１における送信電力を基準値１とする。なお、この処理手順は図５に示す機能フロー図に基いて行う。
【００５６】
次にシールド扉６を閉めた状態での電波伝播特性(シールド効果)を観測し、受信アンテナＲＸ−１〜ＲＸ−ｎと受信部（受信機）３で送信電波を認識できる最少の受信電力になるよう、送信部（送信機）１における送信電力の出力を高め、その時の送信電力を基準値２とし、基準値１と基準値２の特性差(遮蔽効果値)をシールド扉６のシールド性能とする。ここで、基準値１の測定、操作をレベル校正と呼んでいる。
【００５７】
なお、送信部（送信機）１の送信電力は受信部（受信機）３で安定した特性(受信レベル)が得られる最低の送信電力とする。これは送信部（送信機）１の送信電力をできるだけ小さな電力で運用し、周囲の電子機器等への影響を与えないようにするためである。詳細は、図３〜図５に処理フローを示す。
【００５８】
なお、送信部（送信機）１の基準値１の測定と設定は、本装置設置時または定期点検、保守時のみ行い、通常はシールド扉６を閉めた状態で基準値２を測定することでシールド扉６のシールド効果の値を得る。
【００５９】
次に警報機能について説明すると、定期的にシールド扉６のシールド性能値を測定し、結果を記憶回路に保存し、さらにシールド性能値があらかじめ設定された範囲(図４に示すＤ／Ｕ  ＧＲＥＥＮＺＯＮＥとＤ／Ｕ  ＹＥＬＬＯＷＺＯＮＥ)を越えた場合、シールド扉６のシールド性能が劣化している可能性があることを運用者へ知らせる機能を備えている。
【００６０】
また、定期的に測定したシールド扉６のシールド性能値は記憶回路に保存すると同時に、過去の測定値との相互差異を検出すると共に保存されたシールド性能値の相互関係から、劣化度合いがあらかじめ設定された範囲を越えた場合にシールド性能が劣化している可能性があることを運用者へ知らせる機能をも併せて備えている。
【００６１】
よって、シールドルームの運用者は、劣化したシールドガスケット交換することにより、常時、要求されたシールド性能を満足させた状態でシールドルームを継続運用することができる。
【００６２】
なお、図において、「ＣＡＬＩＢＲＡＳＩＯＮ部」は「レベル校正部」、「ＭＥＡＳＵＲＥＭＥＮＴ部」は「測定部」、そして「ＴＲＸ」は「送受信部」である。また、「Ｄ／Ｕ」は「基準値１と基準値２の差」、「ＡＬＭ」は「警報」、「ＰＷＲ」は電源、「ＬＥＤ」は「発光ダイオード」、「ＭＥＡＳＵＲＥＭＥＮＴ」は「測定」、「ＴＸ  ＯＵＴ」は「送信電力」、そして「ＴＸ  ＯＵＴ  ＩＮＣＲＥＡＳＥ」は「送信電力増加」をそれぞれ意味する。
【産業上の利用可能性】
【００６３】
本発明は、電磁波シールドルームの設置後のみならず、運用中においても、シールドルームの開口部に設置されたシールド扉のシールド性能を定期的に測定してシールドガスケットの劣化状況をモニターすることができる。
【図面の簡単な説明】
【００６４】
【図１】電磁波シールド扉のシールド性能測定装置の一例を示すブロック図である。
【図２】電磁波シールド扉の横断面図である。
【図３】本装置の処理手順の全体を示す機能フロー図である。
【図４】本装置の処理手順で図３のＭＥＡＳＵＲＥＭＥＮＴ部のＤ／Ｕ測定の詳細を示す機能フロー図である。
【図５】本装置の処理手順で図３のＣＡＬＩＢＲＡＴＩＯＮ部を示す機能フロー図である。
【符号の説明】
【００６５】
１  送信部
２  送信切替部
３  受信部
４  受信切替部
５  出入り口（開口部）
５ａ  枠体
６  シールド扉
ＴＸ−１〜ＴＸ−ｎ  送信アンテナ
ＲＸ−１〜ＲＸ−ｎ  受信アンテナ
７  監視制御部(コントローラ)
【図１】
2007183211.tif 000003
【図２】
2007183211.tif 000004
【図３】
2007183211.tif 000005
【図４】
2007183211.tif 000006
【図５】
2007183211.tif 000007